(57)【要約】【課題】気密性に優れ、製造容易な光ファイバ取付部の気密封止構造を提供する。【解決手段】光ファイバ取付部の気密封止構造は、第１領域４ａと、第１領域４ａより内径が大きい第２領域とを有する貫通孔が設けられた金属スリーブ３と、光ファイバ１のクラッドの周面にわたってメタライズ層２が部分的に形成されるとともに、メタライズ層２の非形成部が樹脂で被覆されている光ファイバ１とを備え、貫通孔の第１領域４ａおよび第２領域４ｂにまたがる位置において金属スリーブ３とメタライズ層２とがロウ５付けされている。製造容易で気密性に優れる気密封止構造とできる。【選択図】  図６
2010152307.tif 000002
【特許請求の範囲】
【請求項１】
第１領域と、該第１領域に連続するとともに前記第１領域より内径が大きい第２領域とを有する貫通孔が設けられた金属スリーブと、
コアの周囲にクラッドを有し、前記クラッドの周面にわたってメタライズ層が部分的に形成されるとともに、該メタライズ層の非形成部が樹脂で被覆されている光ファイバと、を備え、
前記貫通孔の前記第１領域および前記第２領域にまたがる位置において前記金属スリーブと前記メタライズ層とがロウ付けされていることを特徴とする光ファイバ取付部の気密封止構造。
【請求項２】
前記貫通孔の第２領域から前記第１領域にかけて次第に内径が細くなるテーパ部を有していることを特徴とする請求項１記載の光ファイバ取付部の気密封止構造。
【請求項３】
前記貫通孔の第２領域の開口部と前記光ファイバとの間が接着剤で固定されていることを特徴とする請求項１または２記載の光ファイバ取付部の気密封止構造。
【請求項４】
前記光ファイバが挿通されたスリーブをさらに有し、該スリーブは、一端が前記第２領域に挿入されているとともに前記光ファイバおよび前記第２領域の開口部との間に配置された接着剤によって固定されていることを特徴とする請求項１乃至３のいずれかに記載の光ファイバ取付部の気密封止構造。
【請求項５】
前記スリーブは、軸方向に、前記スリーブの全長未満のスリットを少なくとも１本有していることを特徴とする請求項４記載の光ファイバ取付部の気密封止構造。
【請求項６】
前記スリーブは、周方向に、スリットを少なくとも１本有していることを特徴とする請求項４または５記載の光ファイバ取付部の気密封止構造。
【請求項７】
前記スリーブは、軸方向にスリットを有する割スリーブであることを特徴とする請求項４記載の光ファイバ取付部の気密封止構造。
【請求項８】
前記割スリーブは、軸方向に、前記割スリーブの全長未満のスリットを少なくとも１本有していることを特徴とする請求項７記載の光ファイバ取付部の気密封止構造。
【請求項９】
前記スリーブは、周方向に、スリットを少なくとも１本有していることを特徴とする請求項７または８記載の光ファイバ取付部の気密封止構造。
【発明の詳細な説明】
【技術分野】
【０００１】
本発明は、機器および部品などの内外に挿通された光ファイバを気密に封止する光ファイバ取付部の気密封止構造に関するものである。
【背景技術】
【０００２】
光通信システムに使用される機器および部品において、高い長期信頼性が求められるため、内部に設置される光通信用部品を気密に封止する場合がある。これら機器等は外殻が金属製のケースで覆われる場合が多く、光ファイバを使用する機器または部品においては、その光ファイバをこの金属製ケースにどのような気密構造によって挿通させて取り付けるかが重要な問題になる。
【０００３】
例えば、図１５に従来の光ファイバの取付部の例を示す。図１５において、樹脂被覆光ファイバ２１は、半田２４が充填できるように横穴２２ａを施した金属スリーブ２２に挿通されている。樹脂被覆光ファイバ２１は、金属スリーブ２２内部に位置する樹脂被覆光ファイバ２１の少なくとも一部の被覆部２１ｂを除去した部分にメタライズ層２１ａを有するとともに、金属スリーブ２２の横穴２２ａから半田コテ等で溶融させた半田２４を流し込むことによって、金属スリーブ２２とメタライズ層２１ａとの間が半田２４で気密封止されている。また、樹脂被覆光ファイバ２１は、金属スリーブ２２内部に位置する被覆部２１ｂの少なくとも一部が耐熱性熱収縮チューブ２３で被覆されているとともに、被覆部２１ａと耐熱性熱収縮チューブ２３とが金属スリーブ２２に接着剤２５によって接着されて封止されている（例えば、特許文献１参照）。
【０００４】
そして、機器のケースに設けた貫通孔に、この金属スリーブ２２を挿通し、金属スリーブ２２の外側面とケースとの間をロウ付け等することによって、気密封止された樹脂被覆光ファイバ２１が機器に取り付けられる。
【先行技術文献】
【特許文献】
【０００５】
【特許文献１】特開２００６−０３９２７３号公報
【発明の概要】
【発明が解決しようとする課題】
【０００６】
金属スリーブ２２の横穴２２ａに溶融した半田２４を流し込むには、半田コテの先端を横穴２２ａに挿入するか、近傍に当てて、金属スリーブ２２を加熱した後、半田２４を半田コテと接触させて溶融させ、横穴２２ａに流し込む作業が行なわれる。
【０００７】
しかしながら、半田コテを金属スリーブ２２に接触させる時間や、半田コテを当てる位置によって、金属スリーブ２２が加熱される温度にばらつきが生じる。これによって、溶融した半田２４を横穴２２ａに流し込む際に、半田２４の量にばらつきが生じる。例えば、金属スリーブ２２の加熱が不十分な場合には横穴２２ａに溶融半田２４が十分に流れ込まずに、金属スリーブ２２とメタライズ層２１ａとの間を半田２４で充填できない場合がある。この場合、気密に封止できなくなる。また、加熱を過度に行なった場合、金属スリーブ２２内の樹脂被覆光ファイバ２１の樹脂被覆部２１ｂが熱によって溶融して半田２４内部に気体の逃げ道となる気道が形成されてしまい、気密性が確保できないという問題が生じる場合がある。
【０００８】
また、何度も加熱したり長時間加熱したりした場合、樹脂被覆光ファイバ２１に形成されているＮｉメッキ２１ａが半田２４に拡散して、樹脂被覆光ファイバ２１と半田２４とが接合せずに気密性が悪くなるという問題もあった。
【０００９】
このように従来の気密封止構造は、製造が容易でなく、気密性の確保に問題があった。
【課題を解決するための手段】
【００１０】
上記問題点に鑑みて本発明の光ファイバ取付部の気密封止構造は、第１領域と、この第１領域に連続するとともに前記第１領域より内径が大きい第２領域とを有する貫通孔が設けられた金属スリーブと、コアの周囲にクラッドを有し、前記クラッドの周面にわたってメタライズ層が部分的に形成されているとともに、このメタライズ層の非形成部が樹脂で被覆されている光ファイバと、を備え、前記貫通孔の前記第１領域および前記第２領域にまたがる位置において前記金属スリーブと前記メタライズ層とがロウ付けされていることを特徴とする。
【００１１】
本発明の光ファイバ取付部の気密封止構造において、前記貫通孔の第２領域から前記第１領域にかけて次第に内径が細くなるテーパ部を有しているのが好ましい。
【００１２】
また、前記貫通孔の第２領域の開口部と前記光ファイバとの間が接着剤で固定されているのが好ましい。
【００１３】
また、前記光ファイバが挿通されたスリーブをさらに有し、該スリーブは、一端が前記第２領域に挿入されているとともに前記光ファイバおよび前記第２領域の開口部との間に配置された接着剤によって固定されているのが好ましい。
【００１４】
なお、前記スリーブは、軸方向に、前記スリーブの全長未満のスリットを少なくとも１本有する、もしくは、周方向に、スリットを少なくとも１本有するのが好ましい。
【００１５】
さらに、前記スリーブは、軸方向にスリットを有する割スリーブであることが好ましい。
【００１６】
前記割スリーブは、軸方向に、前記割スリーブの全長未満のスリットを少なくとも１本有する、もしくは、周方向に、スリットを少なくとも１本有するのが好ましい。
【発明の効果】
【００１７】
本発明の光ファイバ取付部の気密封止構造によれば、貫通孔の第１領域および第２領域にまたがる位置において金属スリーブとメタライズ層とをロウ付けすることによって光ファイバが気密に封止される。また、第２領域の一端側開口部に規定量の半田をセットし、これを溶融させることによって金属スリーブとメタライズ層との間に一定量の半田を供給して接合することが可能になるため、安定した気密性を確保することが容易な光ファイバ取付部の気密封止構造となる。
【００１８】
また、貫通孔の第２領域から第１領域にかけて次第に内径が細くなるテーパ部を有している場合、溶融した半田が第２領域から第１領域に流入しやすくでき、気密性を確保しやすい光ファイバ取付部の気密封止構造となる。
【００１９】
さらに、貫通孔の第２領域の開口部と光ファイバとの間が接着剤で固定されている場合、製品取り扱い時に光ファイバの曲げや引っ張り、捻転が生じた場合でも、接着剤によって光ファイバと半田接合部分に局所的な応力がかかり難くなるので、光ファイバが折れたりすることを防止することができる。
【００２０】
さらに、光ファイバが挿通されたスリーブをさらに有し、このスリーブは、一端が第２領域に挿入されているとともに光ファイバおよび第２領域の開口部との間に接着剤を配置した場合、光ファイバの取り扱い時に生ずる曲げや引っ張り、捻転が生じた場合でも、光ファイバが折れたりすることを防止することができる。
【００２１】
上記において、スリーブは、軸方向に、スリーブの全長未満のスリットを少なくとも１本有するか、または周方向に、スリットを少なくとも１本有するか、またはその両方を有する精密スリーブもしくは割スリーブであると、接着剤中に気泡が入った場合でも、スリットから脱気が容易になる。これにより、仕様環境下での温度変化において気泡の膨張収縮による、光ファイバへ負荷される曲げ応力も小さくなるために損失変動を抑制することができる。
【図面の簡単な説明】
【００２２】
【図１】（ａ）は光ファイバ取付部の気密封止構造のロウ付け前の状態を示す断面図である。（ｂ）はロウ付け後の本発明の光ファイバ取付部の気密封止構造の実施の形態の一例を示す断面図である。
【図２】本発明の光ファイバ取付部の気密封止構造の実施の形態の他の例を示す断面図である。
【図３】本発明の光ファイバ取付部の気密封止構造の実施の形態の他の例を示す断面図である。
【図４】本発明の光ファイバ取付部の気密封止構造の実施の形態の他の例を示す断面図である。
【図５】本発明の光ファイバ取付部の気密封止構造の実施の形態の他の例を示す断面図である。
【図６】本発明の光ファイバ取付部の気密封止構造の実施の形態の他の例を示す断面図である。
【図７】本発明の光ファイバ取付部の気密封止構造の実施の形態の他の例を示す側面図である。
【図８】（ａ），（ｂ）は、本発明の光ファイバ取付部の気密封止構造において用いられるスリーブの実施の形態の各例を示す側面図である。
【図９】（ａ），（ｂ）は、本発明の光ファイバ取付部の気密封止構造において用いられるスリーブの実施の形態の各例を示す側面図である。
【図１０】本発明の光ファイバ取付部の気密封止構造において用いられるスリーブの実施の形態の他の例を示す側面図である。
【図１１】本発明の光ファイバ取付部の気密封止構造において用いられるスリーブの実施の形態の他の例を示す側面図である。
【図１２】（ａ），（ｂ），（ｃ）は、本発明の光ファイバ取付部の気密封止構造において用いられるスリーブの実施の形態の各例を示す側面図である。
【図１３】（ａ），（ｂ）は、本発明の光ファイバ取付部の気密封止構造において用いられるスリーブの実施の形態の各例を示す側面図である。
【図１４】本発明の光ファイバ取付部の気密封止構造において用いられるスリーブの実施の形態の他の例を示す側面図である。
【図１５】従来の光ファイバ取付部の気密封止構造の例を示す断面図である。
【発明を実施するための形態】
【００２３】
以下、本発明の光ファイバ取付部の気密封止構造について、図面を参照しつつ説明する。図１は本発明の光ファイバ取付部の気密封止構造の実施の形態の一例を示す断面図であり、（ａ）はロウ材が溶融前の状態を説明する断面図であり、（ｂ）はロウ材が溶融硬化した後の本発明の光ファイバ取付部の気密封止構造を示す断面図である。
【００２４】
図１において、１は光ファイバのクラッドが部分的に露出された露出部１ａを有し、その両側は樹脂で被覆されている光ファイバ、２は露出部１ａのクラッド外周面にわたって周回させて形成されたメタライズ層、３は金属スリーブを示す。金属スリーブ３は、第１領域４ａとこれに連続する第２領域４ｂとから成る貫通孔４を一端から他端にかけて有し、第１領域４ａより内径の大きい第２領域４ｂが金属スリーブ３の一端側（図１においては上側）に開口するように配置されている。また、５は貫通孔４の第１領域４ａおよび第２領域４ｂにまたがる位置において金属スリーブ３とメタライズ層２とを接合するロウ材を示す。
【００２５】
光ファイバ１は、ロウ材によって封止する個所の被覆が除去され、光ファイバ１のクラッドが露出された露出部１ａが設けられている。そして、このクラッド表面に、ロウ材５の濡れ性を良くするためＮｉ層およびＡｕ層等から成るメタライズ層２が形成されている。露出部１ａの両側には光ファイバの周囲にナイロン、ポリエステルエラストマー等の樹脂が被覆された樹脂被覆部１ｂがあり、これによって光ファイバ１を保護している。
【００２６】
ここで光ファイバ１の露出部１ａは、化学処理により被覆を溶かして除去するのがよく、光ファイバ１のクラッド表面の物理的損傷を少なくすることができる。
【００２７】
金属スリーブ３は、第１領域４ａより内径の大きい第２領域４ｂ（以下、大内径部４ｂともいう）と光ファイバ１の樹脂被覆部１ｂの直径より僅かに大きい内径を有する第１領域４ａ（以下、小内径部４ａともいう）とからなる貫通孔４を軸方向に有した筒体であり、ロウ材５との接合面を広くすることができる。貫通孔４の内周面を含めた金属スリーブ３の内外表面には、ロウ材５による接合が容易となるようにＮｉメッキおよびＡｕメッキが順次施されている。また、大内径部４ｂの内径は、光ファイバ１の露出部１ａの直径とロウ材５のプリフォームの厚さとを合わせたものより僅かに大きくなるように形成する。
【００２８】
金属スリーブ３の材質は上記メッキを施した真鍮、ステンレス鋼、Ｎｉ鋼、コバール等の金属の他に、熱膨張係数の小さなアルミナ、ジルコニア等のセラミック系材料、ガラス系材料等の無機材料の表面に金属メッキを施したものでもよい。
【００２９】
これらの組立は、先ず、光ファイバ１を金属スリーブ３の貫通孔４に通す。光ファイバ１は、メタライズ層２が形成された露出部１ａが小内径部４ａおよび大内径部４ｂをまたがる位置に配置されるようにする。なお、メタライズ層２が形成された露出部１ａの上端は、大内径部４ｂ内に配置されるが、溶融したロウ材５が長時間樹脂被覆部１ｂと接触すると樹脂被覆１ｂが溶融して変形する可能性があるため、溶融半田ロウ材５から十分離れるように配置することが望ましい。例えば、図１において、露出部１ａの上端は大内径部４ｂの外側になるように配置している。
【００３０】
次に、ロウ材５のプリフォームを光ファイバ１に通し、図１（ａ）に示すように露出部１ａと大内径部４ｂの内壁との間に設置する。
【００３１】
ロウ材５はペースト状でも使用可能で、光ファイバ１と大内径部４ｂの内壁との間に充填するように注入してもよいが、規定量のロウ材５に管理しやすいことから、長さと直径で容易にその量を管理できる線状のものを光ファイバ１の直径より僅かに太い内径を有するコイル状に巻いたものか、円筒状に成形したプリフォーム状が望ましい。図１（ａ）においては線状のロウ材５をコイル状に巻いたプリフォームを使用した場合を示す。
【００３２】
ロウ材５には半田等の低温溶融ロウ材５が用いられる。半田は、錫−鉛系の共晶系半田でも使用可能であるが、鉛環境汚染の問題からＳｎ−Ａｇ合金、Ｓｎ−Ｂｉ合金、Ｓｎ−Ｃｕ合金を主成分とした無鉛半田を用いるのが望ましい。
【００３３】
ロウ材５を大内径部４ｂの内側に設置した後、大内径部４ｂが上側になるように金属スリーブ３をほぼ垂直に支持し、ロウ材５を溶融させてメタライズ層２と貫通孔４の内側とを接合する。
【００３４】
接合に際しては、光ファイバ１への熱的ダメージを考慮し、ロウ材５のある場所を局所加熱する方法が望ましい。そのため、交流電流によって被加熱物の表面付近に高密度のうず電流を発生させ、そのジュール熱で被加熱物を加熱する高周波誘導加熱装置を使用するのが望ましい。高周波誘導加熱は被加熱物の単位面積に供給される単位時間当りのエネルギーが大きいため、非常に短時間で被加熱物を加熱することが可能であると同時に、電流を切ることにより短時間で加熱を停止させることが可能である。そのため、ロウ材５の溶融時に樹脂被覆１ｂ等への熱的ダメージを最小限にとどめることができる。このような高周波誘導加熱装置のコイルが大内径部４ｂのロウ材５を取り囲む位置に配置され、小内径部４ａや光ファイバ１の樹脂被覆部１ｂは極力加熱されないようにセットし、高周波誘導加熱装置のスイッチを入れる。
【００３５】
完全にロウ材５が溶融した時点で高周波誘導加熱装置の電流を遮断し、エネルギー供給を停止する。溶融したロウ材５は、一部が小内径部４ａに流れるが、小内径部４ａには高周波誘導加熱装置からのエネルギーは供給されていないため、小内径部４ａに流れ込みながらも冷却が始まる。そして、小内径部４ａに流れ込んだロウ材５は光ファイバ１の樹脂被覆部１ｂに接触する位置付近で固化する。最初に固化した部分が溶融ロウ材５に対して栓の役割を果たし、それ以上、下部へのロウ材５の流れ込みを抑制する。これによって、小内径部４ａにロウ材５が充填され、金属スリーブ３と光ファイバ１の露出部１ａに形成されたメタライズ層２とがロウ材５によって接合され、これらの間の気密性が確保される。
【００３６】
図１（ｂ）は、このようにして接合された本発明の光ファイバ取付部の気密封止構造を模式的に示す。
【００３７】
ここで、図２に示すように、大内径部４ｂと小内径部４ａとの間に、大内径部４ｂから小内径部４ａにかけて次第に内径が細くなるテーパ部４ｃを設けることにより、溶融ロウ材５が小内径部４ｂへと流れ込み易くなるため、安定した気密封止性を確保することができる。なお、図２は図１に対して貫通孔４にテーパ部４ｃが設けられた金属スリーブ３が用いられている本発明の光ファイバ取付部の気密封止構造を示す断面図で、その他は図１と同じである。したがって、その他の部分についての説明は省略する。
【００３８】
ところで、図１、図２に示される本発明の実施形態例のようにロウ材５によって固定した光ファイバ取付部の気密封止構造では、光ファイバ１に曲げや引っ張り、捻転が生じた場合、メタライズ層２とロウ材５との接合部位に応力集中が生じ、光ファイバが折れたり切断したりする可能性がある。そのため、図３に示すように、ロウ材５の表面の大内径部４ｂ内に樹脂接着剤６を注入し、光ファイバ１の樹脂被覆部１ｂまで接着剤６によって覆って硬化させるのが望ましい。これにより、光ファイバ１の曲げ、引っ張り、捻転で生ずる応力は樹脂被覆１ｂと接着剤６の接合部位で吸収されるために破断を防止することが可能である。なお、樹脂接着剤６は金属スリーブ３から光ファイバ１の樹脂被覆部１ｂにかけて先細りに固化させるのが好ましい。
【００３９】
さらに、接着剤６を樹脂被覆部１ｂ外周面に塗布することが困難な場合は、図４に示すように、大内径部４ｂに接着剤６を充填した後、円筒状のスリーブ７を大内径部４ｂに挿入するとよい。これにより、スリーブ７の円筒体内に毛細管現象によって接着剤６が上昇して接着剤６を樹脂被覆１ｂに接触させることが可能である。また、スリーブ７が光ファイバ１の曲げを抑制するため、工程での光ファイバ１の折れ等を防止することができる。スリーブ７は金属の他、セラミックスやガラス等でも機能を十分果たす。
【００４０】
また、上述の接着工程において、接着剤６内に気泡が内在する場合がある。それを除去するために真空脱泡を施すが、図１１に示すように、スリーブ７にスリット１０が設けられた割スリーブ１１を用いることにより、内在気泡はスリット１０から脱気されやすくなる。これにより、接着剤６内の気泡は低減されることから、仕様環境下での温度変化において気泡が膨張収縮を繰り返すことによって、光ファイバ１に曲げ応力が負荷されることが少なくなるために損失変動を抑制することができる。スリット幅は０．３ｍｍからファイバ被覆１ｂの外径未満の範囲が望ましい。
【００４１】
その他、スリーブ７に設けられるスリット１２の例として、図８（ａ），(ｂ)の各例に示したように、精密スリーブ７の軸方向に精密スリーブ７の全長未満のスリット１２を少なくとも１本設けるようにしてもよい。図８（ａ），(ｂ)においては、スリーブ７の全長の１／３程度の長さのスリットが、スリーブ７の一端または両端に４本設けられた例を示す。スリットの本数を複数本設けることにより、脱気をより容易にできる。
【００４２】
また、図９（ａ），(ｂ)の各例に示すように、スリーブ７の周方向に１周未満の長さのスリット１３を少なくとも１本設けるようにしてもよい。図９（ａ），(ｂ)においては、スリーブ７の周方向の２／３程度の長さのスリット１３が２本設けられている例を示す。スリット１３は、スリーブ７の長さ方向に対して上下同じ位置に設けてもよいし、周方向で１８０度異なる位置に設けてもよい。
【００４３】
さらに、図１０で示すようにスリット１２，１３を組み合わせた精密スリーブ７の他、図１２〜図１４の各例で示した軸方向のスリット１２，周方向のスリット１３を有するもしくはスリット１２，１３組み合わせた割スリーブであってもよく、接着剤６に内在する気泡を脱気しやすくすることができる。
【００４４】
なお、図４に示す光ファイバ取付部の気密封止構造において、小内径部４ａ内の光ファイバ１は、金属スリーブ３に保護されており、曲げに対しては抑制が働くものの、引っ張りや捻転に対しては、露出部１ａとロウ材５との接合部に応力集中が生じてしまう。そのため、図５，図６に示すように、金属スリーブ３から光ファイバ１が突出する部分に接着剤８を塗布して光ファイバ１を固定することにより応力集中を緩和させて破断を防止するのが望ましい。
【００４５】
接着剤６，８は、光ファイバ１の樹脂被覆１ｂへの熱ダメージを考慮し、可視光硬化接着剤やＵＶ光硬化接着剤か、樹脂被覆１ｂが変質しない温度以下で硬化できる熱硬化接着剤等が使用可能である。また、弾力性を有し可撓性を有するものが望ましい。
【００４６】
さらに、図６に示すように、金属スリーブ３外周部に段差９を設けることにより、金属スリーブ３を機器の気密ケースにロウ付け接合する際の位置決め等が容易となり、作業を容易にできる形状となる。また、機器の気密ケースの内外に気圧差等が生じる場合があるが、この場合は大内径部４ｂ側を気圧の大きい側に取り付けるとよい。金属スリーブ４の段差９も、気圧の大きい側の外径が太くなる段差９の方向とするとよい。
【実施例】
【００４７】
次に本発明の光ファイバ取付部の一実施例による気密封止構造における気密性試験の結果を以下に示す。
【００４８】
図５に示した実施形態と、図１５に示した従来の光ファイバ取付部を各１０本作製し、ヘリウムリーク試験による気密性試験を行なった。従来構造品は前述の通り、半田コテを用いて金属スリーブ２２の横穴２２ａから溶融した半田２４を流し込んで封止した。外観上明らかに半田２４量が不足している試験品については、追加で半田２４を供給して所望の半田２４量とした。表１の半田供給回数の欄に、この加熱回数を示す。
【００４９】
本発明の光ファイバ取付部の気密構造を有する試験品は、高周波誘導加熱装置で半田溶融させて作製した。高周波誘導加熱装置の電流値、加熱時間を規定量の半田５が溶融する所望値に設定しており、本発明による試験品は全て１回の加熱で所望の位置に半田５によって接合が可能であることが確認できた。また、半田５の供給量にばらつきが無く、複数回加熱作業を行なう必要が無いため、半田コテによる作業に対して、作業の安定化と作業時間の短縮が可能であった。
【００５０】
そして、従来構造による試験品（従来構造品）と本発明による試験品（本発明構造品）のヘリウムリーク試験を行なった。その結果を表１に示す。
【００５１】
【表１】
2010152307.tif 000003
従来構造品はヘリウムリーク試験の測定結果を上限として、変動が見られるが、本発明構造品ではいずれもヘリウムリーク試験の測定限界を示し、気密性が向上していることが確認できた。従来構造品の場合、半田２４充填のばらつきにより、微小な気道が発生していると考えられるが、本発明構造品は気道が全て遮断され、従来構造品に対して高い気密性能が確保できていると考えられる。
【００５２】
なお、本発明は上述の実施の形態および実施例に限定されるものではなく、本発明の要旨を逸脱しない範囲内であれば種々の変更は可能である。
【００５３】
また、上記実施の形態の説明において上下左右という用語は、単に図面上の位置関係を説明するために用いたものであり、実際の使用時における位置関係を意味するものではない。
【符号の説明】
【００５４】
１：光ファイバ
１ａ：露出部
１ｂ：樹脂被覆部
２：メタライズ層
３：金属スリーブ
４：貫通孔
４ａ：小内径部
４ｂ：大内径部
４ｃ：テーパ部
５：ロウ材
６：接着剤
７：スリーブ
８：接着剤
９：段差
１０：スリット
１１：割スリーブ
１２：スリット
１３：スリット
【図１】
2010152307.tif 000004
【図２】
2010152307.tif 000005
【図３】
2010152307.tif 000006
【図４】
2010152307.tif 000007
【図５】
2010152307.tif 000008
【図６】
2010152307.tif 000009
【図７】
2010152307.tif 000010
【図８】
2010152307.tif 000011
【図９】
2010152307.tif 000012
【図１０】
2010152307.tif 000013
【図１１】
2010152307.tif 000014
【図１２】
2010152307.tif 000015
【図１３】
2010152307.tif 000016
【図１４】
2010152307.tif 000017
【図１５】
2010152307.tif 000018